(57)【要約】【課題】歩行時に異音が生じにくく、生産効率の高い巾木を提供する。【解決手段】巾木１０は、壁１２に固定される壁側片１６と床１４に固定される床側片１８とを備えており、壁側片１６の下端部には、壁１２と協働して収容空間３４を構成する空間構成部３６が形成されている。空間構成部３６の内側面は傾斜面３２で構成されており、これによって収容空間３４の横断面は下方へ向けて開口された略三角形となっている。したがって、壁側片１６の空間構成部３６に床側片１８の上端部が嵌合することはなく、歩行時の異音を軽減することができる。また、壁側片１６の形状にかかわらず床側片１８を兼用することができる。【選択図】      図１
2004300673.tif 000002
【特許請求の範囲】
【請求項１】
壁に固定される壁側片と床に固定される床側片とを備え、前記壁側片の下端部には、前記壁と協働して収容空間を構成する空間構成部が形成され、前記床側片の上端部が前記収容空間に収容される、巾木において、
前記空間構成部の内側面を傾斜面で構成することによって、前記収容空間の横断面を下方へ向けて開口された略三角形としたことを特徴とする、巾木。
【請求項２】
前記床側片には、前記壁側片の下端部を支持する支持部が形成された、請求項１に記載の巾木。
【請求項３】
前記床側片には、前記壁側片の傾斜面に沿う傾斜面が形成された、請求項１または２に記載の巾木。
【請求項４】
前記床側片には、前記収容空間に収容される薄板状の突片が形成された、請求項１または２に記載の巾木。
【発明の詳細な説明】
【０００１】
【発明の属する技術分野】
この発明は、アパート，マンションまたは戸建住宅等において壁と床とによって構成された入隅部に取り付けられる、巾木に関する。
【０００２】
【従来の技術】
壁と床とによって構成された入隅部には、壁と床との隙間を隠すために巾木が取り付けられる。このとき、通常巾木は壁に固定されるため、床面の不陸や、気温・湿度の変化に伴う壁および床の伸縮によって、巾木と床との間に隙間が生じるおそれがある。
【０００３】
そこで、従来では、図１３に示すように、壁１に固定される壁側片２と床３に固定される床側片４とに分割された巾木５を用いることによって、巾木５と床３との間に隙間が生じるのを防止していた。そして、この巾木５においては、壁側片２の下端部に形成された空間構成部２ａと壁１とによって断面略四角形の収容空間６を構成し、この収容空間６に床側片４の上端部をスライド収容することによって、デザイン上の一体感を保持していた（特許文献１）。
【０００４】
【特許文献１】
特開平１０−８８７７９号公報
【０００５】
【発明が解決しようとする課題】
従来の巾木５（図１３）では、壁側片２の収容空間６に、空間構成部２ａと一対の形状となる床側片４の上端部を収容していたため、歩行時の床の上下動により、空間構成部２ａと床側片４の上端部とがこすれ合って異音が生じる場合があった。また、壁側片２と床側片４とは互いに一対であるため、壁側片２の厚みに合わせてそれぞれの床側片４が必要である上、壁側片２は１本ずつ生産しなくてはならない等、生産効率が低かった。
【０００６】
それゆえに、この発明の主たる目的は、歩行時に異音が生じにくく、生産効率の高い巾木を提供することである。
【０００７】
【課題を解決するための手段】
請求項１に記載した発明は、「壁１２に固定される壁側片１６と床１４に固定される床側片１８とを備え、壁側片１６の下端部には、壁１２と協働して収容空間３４を構成する空間構成部３６が形成され、床側片１８の上端部が収容空間３４に収容される、巾木１０において、空間構成部３６の内側面を傾斜面３２で構成することによって、収容空間３４の横断面を下方へ向けて開口された略三角形としたことを特徴とする、巾木１０」である。
【０００８】
この発明では、空間構成部３６の内側面を傾斜面３２で構成することによって、収容空間３４の横断面を下方へ向けて開口された略三角形としているので、床側片１８の上端部と空間構成部３６とが嵌合することはない。
【０００９】
請求項２に記載した発明は、請求項１に記載した発明において、「床側片１８には、壁側片１６の下端部を支持する支持部４４が形成された」ことを特徴とする。
【００１０】
この発明では、巾木１０を取り付ける際に、床側片１８の支持部４４に壁側片１６を仮置きすることができる。
【００１１】
請求項３に記載した発明は、請求項１または２に記載した発明において、「床側片１８には、壁側片１６の傾斜面３２に沿う傾斜面４６が形成された」ことを特徴とする。
【００１２】
請求項４に記載した発明は、請求項１または２に記載した発明において、「床側片１８には、収容空間３４に収容される薄板状の突片４８が形成された」ことを特徴とする。
【００１３】
請求項３および４に記載した発明では、床側片１８の傾斜面４６および突片４８を略三角形の収容空間３４の奥部にまで入り込ませることができるので、壁側片１６と床側片１８との重なり部分の幅を十分に確保できる。
【００１４】
【発明の実施の形態】
本発明が適用された巾木１０は、図１に示すように、壁１２と床１４とによって構成された入隅部に沿って取り付けられるものであり、壁１２に固定される壁側片１６と、床１４に固定される床側片１８とによって構成される。
【００１５】
ここで、壁１２は、胴縁２０と柱（図示省略）とに固定された内壁下地材２２および内壁下地材２２に貼り付けられたクロス２４等によって構成されており、床１４は、床下地材２６および床下地材２６に貼り付けられた床仕上げ材２８等によって構成されている。
【００１６】
壁側片１６は、図１および図２に示すように、長尺の板状部材であり、壁側片１６の上端部には、表面側の角を面取りすることによって装飾のための傾斜面３０が形成され、壁側片１６の下端部には、裏面側の角を面取りすることによって傾斜面３２が形成される。壁側片１６の下端部の傾斜面３２が形成された部分は、壁１２と協働して収容空間３４を構成する空間構成部３６となり、傾斜面３２によって空間構成部３６の内側面が構成される。したがって、収容空間３４の横断面は、下方へ向けて開口された略三角形となり、傾斜面３２の上端と壁１２との接触点ａ（図１）がこの三角形の頂点となる。
【００１７】
壁側片１６の材料は、特に限定されるものではないが、木材，アルミ等の金属または合成樹脂等を用いることができ、加工や取扱が容易である点において「木材」を用いることが望ましい。そして、壁側片１６に用いることができる「木材」としては、挽材，合板，木質繊維板（ＩＢ，ＭＤＦ等），木削片板（パーティクルボード，ストランドボード，ＯＳＢ等），集成材，単板積層材またはこれらの複合材等を例示することができる。
【００１８】
また、これらの「木材」には、化粧紙，化粧樹脂含浸紙，化粧合成樹脂シートまたは化粧単板等のような化粧材を貼り付けてもよいし、着色塗装，透明塗装または柄模様印刷等を施してもよい。さらに、化粧材の上から塗装や印刷を施してもよい。なお、図１および図２には、壁側片１６の表面に化粧材を貼り付けた例を示している。
【００１９】
床側片１８は、図１および図２に示すように、床１４に固定される略棒状の本体部３８と、本体部３８の上面から上方へ突出された突条４０とを備える。本体部３８の上端部における表面側の角部には、装飾のための曲面が形成される。突条４０は、収容空間３４における下端部開口よりも幅狭の板状に形成され、突条４０の裏面は、本体部３８の裏面と面一となるように形成される。
【００２０】
床側片１８の材料は、特に限定されるものではないが、加工や取扱が容易で、かつ、床１４の不陸に追従し得る点において、ＡＢＳ樹脂やＰＳ樹脂（ポリスチレン樹脂）等のような可撓性の「合成樹脂」を用いることが望ましい。「合成樹脂」を用いる場合には、床側片１８を連続的に押出成形してもよく、アルミ等の「金属」を用いる場合には、成形された床側片１８の表面に塗装を施してもよい。また、壁側片１６と同様の「木材」を用いる場合には、壁側片１６と同様の表面加工を施してもよい。
【００２１】
巾木１０を入隅部に取り付ける際には、図１に示すように、まず、床側片１８を入隅部に位置決めし、これを釘等のような固定具４２や接着剤を用いて床１４に固定する。続いて、壁側片１６を壁１２の所定位置に位置決めし、これを釘等のような固定具４２や接着剤を用いて壁１２に固定する。
【００２２】
このとき、壁側片１６の固定位置は、床側片１８の上端部が収容空間３４内に収容され、かつ、床側片１８の上端部と壁側片１６の傾斜面３２との間に隙間が確保され得るように決定される。したがって、床側片１８に対して壁側片１６が相対的に変位した場合でも、変位幅がこれらの重なり部分の幅Ｗよりも小さい限り、巾木１０のデザイン上の一体感が損なわれる心配はない。つまり、床側片１８と壁側片１６との間から壁１２が見えるのを突条４０によって防止できるので、床側片１８と壁側片１６とのデザイン上の連続性が断たれる心配はない。
【００２３】
この実施例によれば、空間構成部３６の内側面を傾斜面３２で構成することによって、収容空間３４の横断面を下方へ向けて開口された略三角形としているので、空間構成部３６と床側片１８の上端部とが嵌合することがなく、歩行時に発生する異音を減少させることができる。
【００２４】
そして、壁側片１６の角を面取りするだけで傾斜面３２を容易に成形できるので、化粧材を貼り付けた仕上げの場合、「２本の壁側片１６を一体に成形し、その後、これを分割する」といった加工法によって効率よく生産できる。また、壁側片１６における空間構成部３６の形状と床側片１８における突条４０の形状とは一対でなくてもよく、様々な形状の壁側片１６に床側片１８を対応させることができ、巾木１０の生産効率を高めることができる。
【００２５】
また、床側片１８における本体部３８の上端部表面側の角部は曲面で構成されているので、本体部３８の上面に埃がたまりにくく、掃除が容易である。
【００２６】
さらに、棒状の床側片１８を床１４の不陸に沿って撓ませながら配置することができるので、巾木１０（床側片１８）と床１４との間に隙間が生じるのを防止できる。
【００２７】
なお、床側片１８における本体部３８の下端部裏面側の角部には、図３に示すように、入隅部への納まりをよくするための傾斜面４３を形成してもよい。
【００２８】
また、床側片１８には、図４に示すように、壁側片１６の下端部を支持する支持部４４を形成してもよい。この場合には、図５に示すように、床側片１８の支持部４４に壁側片１６を仮置きすることができるので、位置決めが容易であり、施工性を高めることができる。支持部４４を形成する位置は、特に限定されるものではないが、壁側片１６の下端部を容易に支持できる点において、突条４０の側面から突出するように形成することが望ましい。
【００２９】
また、床側片１８（突条４０）には、図６に示すように、壁側片１６の傾斜面３２に沿う傾斜面４６を形成してもよいし、図７に示すように、収容空間３４へ向けて突出する薄板状の突片４８を形成してもよい。これらの場合には、略三角形の収容空間３４の奥部にまで床側片１８の傾斜面４６および突片４８を入り込ませることができるので、壁側片１６の空間構成部３６と床側片１８の上端部との重なり部分の幅を十分に確保できる。
【００３０】
また、図６および図７に示すように、傾斜面４６または突片４８と併せて支持部４４を形成してもよい。
【００３１】
そして、床側片１８に突片４８を形成する場合には、図８に示すように、突片４８を収容空間３４の上方にまで延ばし、壁側片１６の背面と壁１２との間に突片４８の上端部を配置してもよい。
【００３２】
さらに、図４，図６，図７および図８の各実施例においても、壁側片１６と床側片１８との間に隙間を確保することが望ましいが、壁１２と床１４との間に生じた隙間の幅が縮小される心配のない場合等には、図９，図１０，図１１および図１２に示すように、壁側片１６を床側片１８の支持部４４に載置した状態のままで壁側片１６を壁１２に固定してもよい。
【００３３】
【発明の効果】
この発明によれば、収容空間の横断面を下方へ向けて開口された略三角形としているので、壁側片の空間構成部に床側片の上端部が嵌合することはない。したがって、歩行時の異音を軽減することができる上、壁側片の形状にかかわらず床側片を兼用することができる。
【００３４】
また、収容空間を構成する傾斜面は、壁側片の角を面取りするだけで容易に成形できるので、巾木の生産性を大幅に高めることができる。
【図面の簡単な説明】
【図１】本発明が適用された巾木を示す断面図である。
【図２】本発明が適用された巾木を示す斜視図である。
【図３】床側片の下端部裏面側に傾斜面が形成された巾木を示す断面図である。
【図４】床側片に支持部が形成された巾木を示す断面図である。
【図５】図４に示した巾木の取付方法を示す断面図である。
【図６】床側片の上端部に傾斜面が形成された巾木を示す断面図である。
【図７】床側片に突片が形成された巾木を示す断面図である。
【図８】床側片に他の突片が形成された巾木を示す断面図である。
【図９】図４実施例の他の使用状態を示す断面図である。
【図１０】図６実施例の他の使用状態を示す断面図である。
【図１１】図７実施例の他の使用状態を示す断面図である。
【図１２】図８実施例の他の使用状態を示す断面図である。
【図１３】従来技術を示す断面図である。
【符号の説明】
１０…  巾木
１２…  壁
１４…  床
１６…  壁側片
１８…  床側片
３０，３２…  傾斜面
３４…  収容空間
３６…  空間構成部
３８…  本体部
４０…  突条
４２…  固定具
【図１】
2004300673.tif 000003
【図２】
2004300673.tif 000004
【図３】
2004300673.tif 000005
【図４】
2004300673.tif 000006
【図５】
2004300673.tif 000007
【図６】
2004300673.tif 000008
【図７】
2004300673.tif 000009
【図８】
2004300673.tif 000010
【図９】
2004300673.tif 000011
【図１０】
2004300673.tif 000012
【図１１】
2004300673.tif 000013
【図１２】
2004300673.tif 000014
【図１３】
2004300673.tif 000015